【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
クラウドプリントサービスから印刷ジョブを取得し、取得した印刷ジョブに基づいて印刷を行う印刷装置であって、
前記印刷装置のユーザアカウントと前記クラウドプリントサービスのクラウドアカウントとを対応付けた対応関係を記憶する記憶手段と、
前記ユーザアカウントを基に前記印刷装置にユーザをログインさせるログイン処理を行うログイン手段と、
前記クラウドプリントサービスから印刷ジョブの取得を試みる取得手段と、
を有し、
前記取得手段は、前記ログイン手段によるログイン処理が行われた後、前記ログイン処理でログインしたユーザの操作を受け付けることなく、前記ユーザアカウントに対応付く前記クラウドアカウントの印刷ジョブの取得を試みる第１の方法と、前記ログイン手段によるログイン処理が行われずともイベント通知を前記クラウドプリントサービスから受信した場合に、前記クラウドプリントサービスから印刷ジョブの取得を試みる第２の方法に対応し、何れか１つの方法により印刷ジョブを取得することを特徴とする印刷装置。
【請求項２】
前記ログイン手段によるログイン処理が行われることにより前記印刷装置の利用を許可するユーザ管理設定を利用する設定か否かを判定する判定手段をさらに有し、
前記取得手段は、前記判定手段により利用する設定であると判定された場合に前記第１の方法により印刷ジョブの取得を試みることを特徴とする請求項１に記載の印刷装置。
【請求項３】
前記取得手段は、前記判定手段により利用する設定ではないと判定された場合に前記第２の方法により印刷ジョブの取得を試みることを特徴とする請求項２に記載の印刷装置。
【請求項４】
前記取得手段は、前記第１の方法で印刷ジョブを印刷する場合、ログイン処理が行われる際に用いられた前記ユーザアカウントに前記クラウドアカウントが対応付けられていない場合、前記クラウドプリントサービスに対し印刷ジョブの問い合わせを行わないことを特徴とする請求項１乃至３の何れか１項に記載の印刷装置。
【請求項５】
前記取得手段は、前記第１の方法で印刷ジョブを印刷する場合であって、ログイン処理が行われる際に用いられた前記ユーザアカウントに対して複数のクラウドアカウントが対応付けられている場合、当該複数の前記クラウドアカウントを読み出し、複数の前記クラウドアカウントの印刷ジョブの取得を試みることを特徴とする請求項１乃至４の何れか１項に記載の印刷装置。
【請求項６】
前記取得手段が、前記第１の方法で印刷ジョブの取得を試みた後に前記ユーザアカウントに対応付く前記クラウドアカウントの印刷ジョブのジョブ一覧を操作画面に表示する表示制御手段と、
ユーザが前記操作画面から印刷ジョブを選択して印刷を指示したことに応じて印刷ジョブを印刷する印刷制御手段と、
を更に有することを特徴とする請求項１乃至５の何れか１項に記載の印刷装置。
【請求項７】
前記取得手段が、前記第１の方法で印刷ジョブの取得を試みた結果、印刷ジョブが取得できた場合に、前記ユーザアカウントに対応付く前記クラウドアカウントの印刷ジョブの印刷を行うか否かの確認を行う確認手段と、
前記確認手段で印刷を行う確認が行われたことに応じて印刷ジョブを印刷する印刷制御手段と、
を更に有することを特徴とする請求項１乃至５の何れか１項に記載の印刷装置。
【請求項８】
前記取得手段は、前記イベント通知を前記クラウドプリントサービスから受信した場合、前記印刷装置で前記ログイン手段によるログイン処理が行われることにより前記印刷装置の利用を許可するユーザ管理設定を利用する設定が行われているか否かに関わらず、前記第２の方法を用いる印刷ジョブの取得を試み、
前記ユーザ管理設定を利用する設定が行われている場合に前記イベント通知を前記クラウドプリントサービスから受信したことに従い前記第２の方法を用いて印刷ジョブの取得を試みる際に、前記取得手段は、前記クラウドプリントサービスに印刷ジョブの一覧を問合せ、当該問合せの結果得られた一覧の中から、前記記憶手段に前記対応関係が記憶されていないクラウドアカウントに対応する印刷ジョブを特定し、当該特定した印刷ジョブの取得を試みることを特徴とする請求項１に記載の印刷装置。
【請求項９】
クラウドプリントサービスから印刷ジョブを取得し、取得した印刷ジョブに基づいて印刷を行う印刷装置の制御方法であって、
前記印刷装置のユーザアカウントを基に前記印刷装置へユーザをログインさせるログイン処理を行うログインステップと、
前記クラウドプリントサービスから印刷ジョブの取得を試みる取得ステップと、
所定の領域に記憶された前記印刷装置のユーザアカウントと前記クラウドプリントサービスのクラウドアカウントとを対応付けた対応情報を用いて、前記ログイン処理でログインしたユーザに対応付くクラウドアカウントを特定する特定ステップと、
を有し、
前記取得ステップは、前記ログインステップによるログイン処理が行われた後、前記ログイン処理でログインしたユーザの操作を受け付けることなく、前記特定ステップで特定された前記ログインしたユーザのユーザアカウントに対応付く前記クラウドアカウントの印刷ジョブの取得を試みる第１の方法と、前記ログインステップによるログイン処理が行われずともイベント通知を前記クラウドプリントサービスから受信したことに応じて前記イベント通知により通知された印刷ジョブの取得を試みる第２の方法に対応しており、何れか１つの方法により印刷ジョブの取得を試みることを特徴とする制御方法。
【請求項１０】
請求項９に記載の印刷装置の制御方法をコンピュータに実行させるためのプログラム。
【手続補正２】
【補正対象書類名】明細書
【補正対象項目名】００１２
【補正方法】変更
【補正の内容】
【００１２】
本発明の目的は、クラウドプリントサービスに対応する印刷装置がユーザ管理運用されているか否かにより印刷ジョブの取得処理を制御することを目的とする。
【手続補正３】
【補正対象書類名】明細書
【補正対象項目名】００１３
【補正方法】変更
【補正の内容】
【００１３】
本発明の一実施形態に係る印刷装置は、クラウドプリントサービスから印刷ジョブを取得し、取得した印刷ジョブに基づいて印刷を行う印刷装置であって、前記印刷装置のユーザアカウントと前記クラウドプリントサービスのクラウドアカウントとを対応付けた対応関係を記憶する記憶手段と、前記ユーザアカウントを基に前記印刷装置にユーザをログインさせるログイン処理を行うログイン手段と、前記クラウドプリントサービスから印刷ジョブの取得を試みる取得手段と、を有し、前記取得手段は、前記ログイン手段によるログイン処理が行われた後、前記ログイン処理でログインしたユーザの操作を受け付けることなく、前記ユーザアカウントに対応付く前記クラウドアカウントの印刷ジョブの取得を試みる第１の方法と、前記ログイン手段によるログイン処理が行われずともイベント通知を前記クラウドプリントサービスから受信した場合に、前記クラウドプリントサービスから印刷ジョブの取得を試みる第２の方法に対応し、何れか１つの方法により印刷ジョブを取得することを特徴とする。
【手続補正４】
【補正対象書類名】明細書
【補正対象項目名】００１４
【補正方法】変更
【補正の内容】
【００１４】
本発明によれば、クラウドプリントサービスに対応する印刷装置がユーザ管理運用されているか否かにより印刷ジョブの取得処理を制御することが可能になる。